(57)【要約】      （修正有）【課題】室内工事を必要とせず、かつ、容易に室内に着脱可能な物干し竿ユニットを提供する。【解決手段】壁（１１）に対して固定されているカーテンレール（１２）に取り外し自在に取り付けられる物干し竿ユニット（１０）は、カーテンレールに対して取り外し自在に取り付け可能な一対の物干し竿取り付け器具（２０）と、一対の物干し竿取り付け器具の間に渡される物干し竿（３０）と、からなる。一対の物干し竿取り付け器具の各々の一端にはカーテンレールに係合可能なフックが形成されており、フックがカーテンレールに係合するときに他端は壁に係止する。物干し竿取り付け器具には孔が形成されており、物干し竿は一対の物干し竿取り付け器具の各々の孔に挿入される。【選択図】図１
0003117295.tif 000002
【実用新案登録請求の範囲】
【請求項１】
壁に対して固定されているカーテンレールに取り外し自在に取り付ける物干し竿ユニットであって、
前記カーテンレールに対して取り外し自在に取り付け可能な一対の物干し竿取り付け器具と、
前記一対の物干し竿取り付け器具の間に渡される物干し竿と、
からなり、
前記一対の物干し竿取り付け器具の各々は鋭角をなす第一部分と第二部分とからなり、前記第一部分の一端には前記カーテンレールに係合可能なフックが形成されており、前記フックが前記カーテンレールに係合するときに前記第二部分の一端は前記壁に係止されるようになっており、
前記第一部分及び前記第二部分の少なくとも何れか一方には少なくとも一つの孔が形成されており、
前記物干し竿は前記一対の物干し竿取り付け器具の前記孔に挿入された状態で前記一対の物干し竿取り付け器具に支持されるものである物干し竿ユニット。
【請求項２】
前記物干し竿は、一方が他方の内部を摺動可能な二つの管部材からなり、前記一方の管部材を前記他方の管部材に対して摺動させることにより、前記物干し竿の長さを変えることができることを特徴とする請求項１に記載の物干し竿ユニット。
【考案の詳細な説明】
【技術分野】
【０００１】
本考案は、壁に対して固定されているカーテンレールに取り付けて使用する物干し竿ユニットに関する。
【背景技術】
【０００２】
雨天の日などのように、室内に洗濯物を干す必要が生じる場合がある。このような要求に応えて、種々の物干し装置が提案されている。
【０００３】
図７は、そのような物干し装置の一つとしての特開平１１−３３３１９７号に記載された物干し装置の斜視図である。
【０００４】
図７に示すように、この物干し装置は、天井１０２の中に配置され、物干し竿１００を昇降する一対の昇降機１０１を備えている。天井１０２には開口部１０３が形成されており、開口部１０３を介して昇降機１０１から昇降ハンド１０４が下方に延びている。物干し竿１００は昇降ハンド１０４に支持されており、昇降ハンド１０４が上下動することにより、物干し竿１００も上下動し、所望の位置において、停止させることができるようになっている。
【考案の開示】
【考案が解決しようとする課題】
【０００５】
しかしながら、図７に示した物干し装置は次のような欠点を有していた。
【０００６】
第一に、物干し装置を設置するための大規模な室内工事を必要とする点である。
【０００７】
第二に、天井１０２に開口部１０３を設けなければならず、天井の強度が低下するなどの新たな問題を生じる点である。また、開口部１０３を介して室内と天井裏とが連通することになり、開口部１０３を設けない場合と比較して、空調制御も困難性を増す。
【０００８】
第三に、この物干し装置を一旦設置すると、容易には除去できない点である。物干し装置を取り外す場合にも、物干し装置を設置する場合と同様に大規模な室内工事を必要とする。
【０００９】
本考案は以上のような問題点に鑑みてなされたものであり、特に室内工事を必要とせず、かつ、容易に室内に着脱可能な物干し竿ユニットを提供することを目的とする。
【課題を解決するための手段】
【００１０】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【００１１】
上記の目的を達成するため、本考案は、壁（１１）に対して固定されているカーテンレールに取り外し自在に取り付ける物干し竿ユニット（１０）であって、前記カーテンレール（１２）に対して取り外し自在に取り付け可能な一対の物干し竿取り付け器具（２０）と、前記一対の物干し竿取り付け器具（２０）の間に渡される物干し竿（３０、３０Ａ）と、からなり、前記一対の物干し竿取り付け器具（２０）の各々は鋭角をなす第一部分（２１）と第二部分（２２）とからなり、前記第一部分（２１）の一端には前記カーテンレール（１２）に係合可能なフック（２３）が形成されており、前記フック（２３）が前記カーテンレール（１２）に係合するときに前記第二部分（２２）の一端（２４）は前記壁（１１）に係止されるようになっており、前記第一部分（２１）及び前記第二部分（２２）の少なくとも何れか一方には少なくとも一つの孔（２５）が形成されており、前記物干し竿（３０、３０Ａ）は前記一対の物干し竿取り付け器具（２０）の前記孔（２５）に挿入された状態で前記一対の物干し竿取り付け器具（２０）に支持されるものである物干し竿ユニット（１０）を提供する。
【００１２】
前記物干し竿（３０Ａ）は、一方（４２）が他方（４１）の内部を摺動可能な二つの管部材からなり、前記一方（４２）の管部材を前記他方（４１）の管部材に対して摺動させることにより、前記物干し竿（３０Ａ）の長さを変えることができるものとして構成することができる。
【００１３】
前記孔（２５）は前記第一部分（２１）と前記第二部分（２２）との結合箇所に形成されていることが好ましい。
【００１４】
前記第二部分（２２）の前記一端（２４）にはゴムカバー（４０）が被せられていることが好ましい。
【考案の効果】
【００１５】
本考案に係る物干し竿ユニットは、図７に示した従来の物干し装置とは異なり、規模の大小を問わず、室内工事を実施する必要なく、室内に取り付けることが可能である。
【００１６】
さらに、本考案に係る物干し竿ユニットは窓のある部屋に設置されているカーテンレールを利用するものであるため、窓のある部屋であれば、どの部屋にも取り付けることができる。
【００１７】
さらに、本考案に係る物干し竿ユニットはカーテンレールに対して着脱自在であるため、使用時のみカーテンレールに取り付ければよく、不使用時にはカーテンレールから取り外すことができるので、室内のスペースを有効に活用することができる。
【考案を実施するための最良の形態】
【００１８】
図１は、本考案の一実施形態に係る物干し竿ユニット１０の斜視図である。
【００１９】
図１に示すように、本実施形態に係る物干し竿ユニット１０は、壁１１に対して固定され、水平方向に延びているカーテンレール１２に取り付けて使用される。
【００２０】
本実施形態に係る物干し竿ユニット１０は、カーテンレール１２に対して取り外し自在に取り付け可能な一対の物干し竿取り付け器具２０と、一対の物干し竿取り付け器具２０の間に渡される物干し竿３０、とから構成されている。
【００２１】
図２は物干し竿取り付け器具２０の平面図である。
【００２２】
物干し竿取り付け器具２０は矩形状の縦断面を有するプラスチック製の部材である。
【００２３】
図２に示すように、物干し竿取り付け器具２０は、第一部分２１と、第一部分２１に対して鋭角をなす第二部分２２と、からなる。
【００２４】
本実施形態においては、第一部分２１と第二部分２２とがなす鋭角は６０度に設定されている。ただし、第一部分２１と第二部分２２とがなす鋭角は６０度に限定されるものではなく、他の角度を選定することも可能である。
【００２５】
第一部分２１の自由端にはＵ字型のフック２３が形成されている。このフック２３をカーテンレール１２に引っかけることにより、物干し竿取り付け器具２０はカーテンレール１２により支持される。
【００２６】
フック２３をカーテンレール１２に引っかけると、第二部分２２の自由端２４は、図１に示すように、壁１１に接触した状態になる。このため、フック２３をカーテンレール１２に引っかけると、物干し竿取り付け器具２０は、第一部分２１がほぼ水平になった状態（図２に示す状態）でカーテンレール１２に取り付けられることとなる。
【００２７】
第一部分２１と第二部分２２の境界となる位置には孔２５が形成されている。図１に示すように、物干し竿３０はその両端を物干し竿取り付け器具２０の孔２５に通すことにより、一対の物干し竿取り付け器具２０の間に掛け渡されることになる。
【００２８】
図３は、物干し竿３０と物干し竿取り付け器具２０の孔２５との結合関係を示す部分的斜視図である。
【００２９】
図３に示すように、物干し竿３０の両端には中空の縮径部３１が形成されており、物干し竿取り付け器具２０の孔２５の直径は縮径部３１の外径に等しく設定されている。物干し竿３０の縮径部３１を孔２５に差し込んだ後、反対側からキャップ３２を孔２５を介して縮径部３１に差し込む。
【００３０】
キャップ２５は、縮径部３１の内径に等しい外径を有する挿入部３３と、挿入部３３の外径よりも大きい外径を有する基部３４とから構成されており、孔２５の一方の側から孔２５を介して挿入部３３を縮径部３１に挿入することにより、物干し竿３０が物干し竿取り付け器具２０に対して取り付けられる。
【００３１】
次いで、図１を参照して、本実施形態に係る物干し竿ユニット１０の使用方法を説明する。
【００３２】
まず、一対の物干し竿取り付け器具２０を、相互に適当な間隔を開けた状態で、カーテンレール１２に取り付ける。カーテンレール１２への物干し竿取り付け器具２０の取り付けはフック２３をカーテンレール１２に引っかけることにより行う。
【００３３】
次いで、物干し竿３０の縮径部３１を各物干し竿取り付け器具２０の孔２５に差し込み、各物干し竿取り付け器具２０の反対側から孔２５を介して、キャップ３２の挿入部３３を物干し竿３０の縮径部３１に挿入する。
【００３４】
これにより、本実施形態に係る物干し竿ユニット１０は使用可能な状態になる。一対の物干し竿取り付け器具２０に支持された物干し竿３０に洗濯物を干すことができる。あるいは、洗濯物をハンガーに掛けて、そのハンガーを物干し竿３０に吊るすこともできる。
【００３５】
本実施形態に係る物干し竿ユニット１０は次のような利点を有する。
【００３６】
まず、本実施形態に係る物干し竿ユニット１０は、図７に示した従来の物干し装置とは異なり、規模の大小を問わず、室内工事を実施する必要なく、室内に取り付けることが可能である。
【００３７】
さらに、本実施形態に係る物干し竿ユニット１０は窓のある部屋に設置されているカーテンレールを利用するものであるため、窓のある部屋であれば、どの部屋にも取り付けることができる。
【００３８】
さらに、本実施形態に係る物干し竿ユニット１０はカーテンレールに対して着脱自在であるため、使用時のみカーテンレールに取り付ければよく、不使用時にはカーテンレールから取り外すことができるので、室内のスペースを有効に活用することができる。
【００３９】
本実施形態に係る物干し竿ユニット１０は以上のような構成に限定されるものではなく、種々の変更を加えることが可能である。
【００４０】
例えば、本実施形態に係る物干し竿ユニット１０においては、物干し竿３０を支持する孔２５は第一部分２１と第二部分２２との境界の位置に設けられているが、孔２５を設ける位置はこれには限定されない。
【００４１】
例えば、図４に示すように、第一部分２１に設けてもよく、あるいは、第二部分２２に設けてもよい。あるいは、第一部分２１と第二部分２２の双方に設けてもよい。何れの場合においても、孔２５の数は一個には限定されない。
【００４２】
このように、孔２５の形成位置及び数は任意であり、孔２５の形成位置及び数を変えることにより、物干し竿３０の支持位置を任意に選定することができる。
【００４３】
また、図５に示すように、第二部分２２の自由端２４にはゴムカバー４０を被せることができる。
【００４４】
ゴムカバー４０を被せることにより、第二部分２２の自由端２４が壁１１に接触する際の衝撃を和らげることができる。
【００４５】
図６は、物干し竿３０の他の例の構造を示す横断面図である。
【００４６】
図６に示した物干し竿３０Ａは、入れ子式の構造をなしており、中空の第一管部材４１と第二管部材４２とから構成されている。
【００４７】
第一管部材４１の内径は第二管部材４２の外径に等しい。このため、第二管部材４２は第一管部材４１の内部を摺動可能であり、第一管部材４１を第二管部材４２に対して摺動させることにより、物干し竿３０の長さを変えることができる。具体的には、第一管部材４１を矢印Ａの方向に第二管部材４２に対して摺動させることにより、物干し竿３０の長さを短くすることができ、あるいは、第一管部材４１を矢印Ｂの方向に第二管部材４２に対して摺動させることにより、物干し竿３０の長さを長くすることができる。
【００４８】
図１に示した物干し竿３０は固定長を有するものであるため、一対の物干し竿取り付け器具２０の間の間隔も物干し竿３０の長さに応じて一義的に決まるが、図６に示すような可変長を有する物干し竿３０Ａを使用することにより、一対の物干し竿取り付け器具２０の間の間隔を必要に応じて変えることが可能になる。
【図面の簡単な説明】
【００４９】
【図１】本考案の一実施形態に係る物干し竿ユニットの斜視図である。
【図２】物干し竿取り付け器具の平面図である。
【図３】物干し竿と物干し竿取り付け器具の孔との結合関係を示す部分的斜視図である。
【図４】物干し竿取り付け器具の他の例の平面図である。
【図５】ゴムカバーを取り付けた物干し竿取り付け器具の部分的斜視図である。
【図６】物干し竿の他の例の構造を示す横断面図である。
【図７】物干し装置の従来例を示す斜視図である。
【符号の説明】
【００５０】
１０  本考案の一実施形態に係る物干し竿ユニット
１１  壁
１２  カーテンレール
２０  物干し竿取り付け器具
２１  物干し竿取り付け器具の第一部分
２２  物干し竿取り付け器具の第二部分
２３  フック
２４  物干し竿取り付け器具の第二部分の自由端
２５  孔
３０、３０Ａ  物干し竿
３１  物干し竿の縮径部
３２  キャップ
４０  ゴムカバー
４１  第一管部材
４２  第二管部材
【図１】
0003117295.tif 000003
【図２】
0003117295.tif 000004
【図３】
0003117295.tif 000005
【図４】
0003117295.tif 000006
【図５】
0003117295.tif 000007
【図６】
0003117295.tif 000008
【図７】
0003117295.tif 000009